(57)【特許請求の範囲】
【請求項１】
中心部に回転駆動機構へのクランプを行うためのクランプ部が設けられたディスク状記録媒体と、
上記ディスク状記録媒体を回転自在に収納し、少なくとも一方の面側に上記ディスク状記録媒体の信号記録領域の少なくとも一部を径方向に亘って外方に臨ませる記録再生用開口部が設けられるとともに、下面側の中央部に上記ディスク状記録媒体に設けられた上記クランプ部を外方に臨ませる中央開口部が設けられているカートリッジ本体と、
上記記録再生用開口部及び上記中央開口部を閉塞するシャッタ部を有し、上記記録再生用開口部及び上記中央開口部を開閉するように上記カートリッジ本体に移動可能に取り付けられるシャッタ部材とを備え、
上記シャッタ部は、略中央部に、外側に膨出する一連の膨出部が形成され、上記シャッタ部材の移動方向と直交する方向の上記膨出部の両側の縁部に、段差部を形成して、外側に向かって湾曲した湾曲部が形成され、上記シャッタ部材の移動方向と直交する方向の先端部に、段差を設けることによってガイド片が形成され、
上記ガイド片は、上記カートリッジ本体の上記シャッタ部材の移動方向に沿って形成されたガイド溝に係合されて、上記ガイド片と平行となるように配設された抑え板により、上記ガイド溝に抑えられ、
上記シャッタ部は、上記ガイド片のみが、上記カートリッジ本体に当接され、
上記段差部は、上記シャッタ部の縁部より弧状に立ち上がって形成されているディスクカートリッジ。
【請求項２】
上記膨出部の曲率半径は、上記湾曲部の曲率半径と同一若しくは上記湾曲部の曲率半径より小さいことを特徴とする請求項１記載のディスクカートリッジ。
【請求項３】
上記シャッタ部材は、上記記録再生用開口部及び上記中央開口部を閉塞する上記シャッタ部に対向する更なるシャッタ部を有し、上記シャッタ部は、上記カートリッジ本体の上面側に形成された記録再生用開口部を閉塞することを特徴とする請求項１記載のディスクカートリッジ。
【請求項４】
上記シャッタ部材は、硬質アルミ材により形成されていることを特徴とする請求項１記載のディスクカートリッジ。
【発明の詳細な説明】
【０００１】
【発明の属する技術分野】
本発明は、ディスク状記録媒体の一部を外方に臨ませる記録再生用開口部を開閉するシャッタ部材がカートリッジ本体に移動可能に取り付けられたディスクカートリッジに関する。
【０００２】
【従来の技術】
従来、光ディスク、光磁気ディスク、磁気ディスク等のディスクを記録媒体に用いるディスクカートリッジは、略矩形状のカートリッジ本体内にディスクを回転可能に収納してなる。カートリッジ本体には、下面側中央部に、ディスクの中央部に取り付けられたクランプ部を外方に臨ませる中央開口部が形成され、カートリッジ本体の一側面側の略中央から上下面の略中央部に亘って内部に収納されたディスクの一部を外方に臨ませる記録再生用開口部が形成されている。そして、カートリッジ本体には、上記カートリッジ本体の一側面側に、ディスクのクランプ部を外方に臨ませる中央開口部及びディスクの一部を外方に臨ませる記録再生用開口部を開閉するシャッタ部材が摺動可能に取り付けられている。
【０００３】
中央開口部及び記録再生用開口部を開閉するシャッタ部材１０１は、図１６に示すように、カートリッジ本体の上面側に形成された記録再生用開口部を開閉する第１のシャッタ部１０２と、カートリッジ本体の下面に形成された中央開口部及び記録再生用開口部を開閉する第２のシャッタ部１０３と、第１のシャッタ部１０２と第２のシャッタ部１０３とを連結する連結部１０４とを備え、第２のシャッタ部１０３は、カートリッジ本体の下面側の中央開口部及び記録再生用開口部を閉塞することができるように、第１のシャッタ部１０２より長く形成されている。
【０００４】
このシャッタ部材１０１は、金属薄板を打ち抜き、第１のシャッタ部１０２と第２のシャッタ部１０３とが平板状をなすように略コ字状に折曲して形成されている。すなわち、第１のシャッタ部１０２と第２のシャッタ部１０３とは、平板状に形成することで、記録再生用開口部及び中央開口部を閉塞しているとき、平面をなすカートリッジ本体の主面と密着し、記録再生用開口部及び中央開口部よりカートリッジ本体内に塵埃等が侵入することを防止している。
【０００５】
また、連結部１０４は、シャッタ部材１０１の移動をガイドするガイド部材にシャッタ部材１０１を取り付けるためのねじ孔１０５が穿設されている。シャッタ部材１０１は、ねじ孔１０５を介して止めねじにより、カートリッジ本体の一側面に形成されたガイド溝に係合されるガイド部材に取り付けられる。シャッタ部材１０１は、カートリッジ本体の一側面に形成されたガイド溝に係合されたガイド部材に取り付けられることで、カートリッジ本体の一側面に沿って移動し、記録再生装置に装填されたときに限って、記録再生装置側のシャッタ開放機構により移動操作され記録再生用開口部及び中央開口部を開放し、ディスクカートリッジの非使用時に、記録再生用開口部及び中央開口部より塵埃等がカートリッジ本体に侵入し、ディスクに付着することを防止している。
【０００６】
【発明が解決しようとする課題】
ところで、シャッタ部材１０１では、第１のシャッタ部１０２と第２のシャッタ部１０３とが平板状に形成されているため、第１のシャッタ部１０２と第２のシャッタ部１０３との先端部間の幅Ｗを第１のシャッタ部１０２と第２のシャッタ部１０３とを平行となるように形成することが困難であった。
【０００７】
すなわち、図１７に示すように、第２のシャッタ部１０３の先端部が第１のシャッタ部１０２の先端部に近接し、第１のシャッタ部１０２と第２のシャッタ部１０３の先端部間の幅Ｗが狭くなり過ぎる場合があった。幅Ｗが狭くなりすぎた場合には、シャッタ部材１０１がカートリッジ本体に取り付けられたとき、第２のシャッタ部１０３の先端部がカートリッジ本体に圧接されることになる。第２のシャッタ部１０３がカートリッジ本体に圧接された状態でシャッタ部材１０１がカートリッジ本体の一側面に沿って移動操作されると、第２のシャッタ部１０３の先端部がカートリッジ本体を削り、これにより発生した削り粉等の異物が記録再生用開口部及び中央開口部より侵入してしまうことがある。ディスクにカートリッジ本体の削り粉等の異物が付着すると、ディスクに対し確実に情報信号の記録又は再生を行うことができなくなる場合がある。
【０００８】
また、図１８に示すように、第１のシャッタ部１０２と第２のシャッタ部１０３の先端部が拡幅し、第１のシャッタ部１０２と第２のシャッタ部１０３の先端部間の幅Ｗが広くなり過ぎる場合がある。幅Ｗが広くなりすぎた場合には、第１のシャッタ部１０２と第２のシャッタ部１０３の先端部がカートリッジ本体の主面より突出することになり、従って、ディスクカートリッジが記録再生装置に装填された際、第１のシャッタ部１０２と第２のシャッタ部１０３の先端部が記録再生装置側のディスクカートリッジを保持するホルダ等に引っかかり、ディスクカートリッジの挿脱操作の障害となることがある。
【０００９】
そこで、本発明は、シャッタ部材をカートリッジ本体に対して円滑に移動させることができるディスクカートリッジを提供することを目的とする。
【００１１】
【課題を解決するための手段】
また、本発明に係るディスクカートリッジは、上述した課題を解決すべく、中心部に回転駆動機構へのクランプを行うためのクランプ部が設けられたディスク状記録媒体と、ディスク状記録媒体を回転自在に収納し、少なくとも一方の面側にディスク状記録媒体の信号記録領域の少なくとも一部を径方向に亘って外方に臨ませる記録再生用開口部が設けられるとともに、下面側の中央部にディスク状記録媒体に設けられたクランプ部を外方に臨ませる中央開口部が設けられているカートリッジ本体と、記録再生用開口部及び中央開口部を閉塞するシャッタ部を有し、記録再生用開口部及び中央開口部を開閉するようにカートリッジ本体に移動可能に取り付けられるシャッタ部材とを備え、シャッタ部は、略中央部に、外側に膨出する一連の膨出部が形成され、シャッタ部材の移動方向と直交する方向の膨出部の両側の縁部に、段差部を形成して、外側に向かって湾曲した湾曲部が形成され、シャッタ部材の移動方向と直交する方向の先端部に、段差を設けることによってガイド片が形成され、ガイド片は、カートリッジ本体のシャッタ部材の移動方向に沿って形成されたガイド溝に係合されて、ガイド片と平行となるように配設された抑え板により、ガイド溝に抑えられ、シャッタ部は、ガイド片のみが、カートリッジ本体に当接され、段差部は、シャッタ部の縁部より弧状に立ち上がって形成されていることで、カートリッジ本体とシャッタ部との接触面積が少なくなりカートリッジ本体とシャッタ部との摩擦が小さくなる。したがって、シャッタ部材は、カートリッジ本体に対して円滑に移動する。
【００１２】
膨出部の曲率半径は、湾曲部の曲率半径と同一若しくは上記湾曲部の曲率半径より小さくすることで、シャッタ部全体を滑らかな曲面とし、見栄えを良くしている。
【００１３】
膨出部には、上記シャッタ部材の移動方向と直交する方向の両側縁に、段差部が形成されている。この段差部は、シャッタ部の縁部より弧状に立ち上がって形成され、また、略垂直に立ち上がって形成されている。
【００１４】
シャッタ部材には、記録再生用開口部及び中央開口部を閉塞するシャッタ部に対向するシャッタ部が設けられ、シャッタ部は、カートリッジ本体の上面側に形成された記録再生用開口部を閉塞するように形成されている。
【００１５】
また、以上のようなシャッタ部材は、成形性を良くするため、硬質アルミ材により形成される。
【００１６】
【発明の実施の形態】
以下、本発明が適用されたディスクカートリッジについて、図面を参照して説明する。
【００１７】
このディスクカートリッジ１は、図１に示すように、合成樹脂を射出成形する等して略矩形状に形成された上下一対のハーフ２，３を突き合わせ結合して形成されるカートリッジ本体４を備え、このカートリッジ本体４内に情報信号の記録媒体となる光磁気ディスク５を収納している。
【００１８】
カートリッジ本体４に収納される光磁気ディスク５は、図２に示すように、剛性を有するディスク基板に信号記録層を被着した直径をほぼ３．５インチとなすディスク本体６を備える。ディスク本体６の中心部には、中心孔７が穿設され、この中心孔７に嵌合するようにしてセンターコア８が取り付けられている。センターコア８は、金属等の磁性材料により形成され、光磁気ディスク５を記録再生装置側に配設されるディスク回転駆動機構に装着されるとき、ディスク回転駆動機構側に設けられるマグネットによって磁気吸引され、光磁気ディスク５をディスク回転駆動機構にクランプさせる。すなわち、センターコア８は、光磁気ディスク５のディスク回転駆動機構へのクランプ部を構成する。
【００１９】
このセンターコア８は、底面が扁平な筒状体８ａと、この筒状体の開口端より張り出し形成されたフランジ部８ｂとを備える。そして、筒状体の底面の中央部には、ディスク回転駆動機構側のスピンドル軸が係合されるスピンドル軸係合孔８ｃが穿設されている。センターコア８は、筒状体８ａをディスク本体６の中心孔７に嵌合し、フランジ部８ｂをディスク本体６の一方の面側に載置し、フランジ部８ｂとディスク本体６間を接着剤により接合してディスク本体６に取り付けられる。
【００２０】
上述のような光磁気ディスク５を収納するカートリッジ本体４は、図１及び図２に示すように、アクリルニトリルブチルスチレン（ＡＢＳ）樹脂やポリカーボネート等の合成樹脂を射出成形して略矩形状に形成された上下一対のハーフ２，３を突き合わせ結合して形成されるものであって、カートリッジ本体４を構成する上下ハーフ２，３の外周囲には、上下ハーフ２，３が互いに突き合わせられてカートリッジ本体４の前面壁１１、背面壁１２及び相対向する側面壁１３，１４を構成する立上がり壁１５，１６が形成されている。上ハーフ２及び下ハーフ３の相対向する内面側には、図２に示すように、光磁気ディスク５を回転可能に収納するためのディスク収納部１７を区画する仕切壁１８が立ち上がり形成されている。これら仕切壁１８は、略矩形状をなす上ハーフ１及び下ハーフ２に内接するように略円弧状に形成され、互いに突き合わせられることにより光磁気ディスク５の全周を囲み、光磁気ディスク５が回転可能に収納されるディスク収納部１７を形成する。
【００２１】
カートリッジ本体４の下面側を構成する下ハーフ３の中央部には、図２に示すように、カートリッジ本体４に収納された光磁気ディスク５に取り付けられたセンターコア８の筒状体８ａの底面を外方に臨ませる略円形の中央開口部１９が形成されている。中央開口部１９は、下ハーフ３側にのみ設けられ、上ハーフ２によって構成されるカートリッジ本体２の上面側の中央部は、図２に示すように閉塞されている。
【００２２】
また、カートリッジ本体４の上面側を構成する上ハーフ２及びカートリッジ本体４の下面側を構成する下ハーフ３の相対向する位置には、図１及び図２に示すように、カートリッジ本体４に収納した光磁気ディスク５の信号記録領域の少なくとも一部を径方向に亘って外方に臨ませる第１及び第２の記録再生用開口部２１，２２が形成されている。これら第１及び第２の記録再生用開口部２１，２２は、カートリッジ本体４の左右方向の中央部に位置して、中央開口部１９の近傍位置からカートリッジ本体４の前面壁１１の近傍位置に亘って略矩形状に形成されている。カートリッジ本体４の上面側に形成された第１の記録再生用開口部２１は、カートリッジ本体４内に進入する情報信号の記録再生手段を構成する磁気ヘッドがカートリッジ本体４に収納された光磁気ディスク５の内周側から外周側まで走査できるように、カートリッジ本体４の中央部から前面壁１１に近接した位置に亘って形成されている。また、第２の記録再生用開口部２２は、光磁気ディスク５の信号記録領域に光ビームを照射する光ピックアップの対物レンズを磁気ヘッドと同期して内周側から外周側まで移動操作できるように、カートリッジ本体４の中央部から前面壁１１に近接した位置に亘って形成されている。
【００２３】
カートリッジ本体４には、図１及び図２に示すように、カートリッジ本体４の上面側に形成された第１の記録再生用開口部２１とカートリッジ本体４の下面に形成された中央開口部１９及び第２の記録再生用開口部２２を開閉するシャッタ部材２３が移動可能に取り付けられている。シャッタ部材２３は、厚さ約０．３ｍｍの薄い金属板を打ち抜き折り曲げて略コ字状に形成されている。具体的に、このシャッタ部材２３は、折り曲げ形成する際に略コ字状に折り曲げ形成しやすくするため、成形性と強度に優れた硬質アルミ材により形成されている。具体的に、この硬質アルミ材は、主としてアルミニウムとマグネシウムの合金であり、更に具体的には、日本工業規格（ＪＩＳ：Japanese Industrial Standard) で合金番号が５０００番台のアルミニウム合金（Ｍｇを約０．５％〜４．５％含有）である。また、シャッタ部材２３の表面には、耐汚損性、耐食性の向上及び表面の強度強化、更には、見栄えを良くするために、アクリル樹脂、エポキシ樹脂等の合成樹脂製の薄膜が形成されている。なお、シャッタ部材２３の厚みは、ディスクカートリッジの種類に応じて、０．１５ｍｍから０．５０ｍｍの範囲で適宜定められる。
【００２４】
以上のようなシャッタ部材２３は、図３及び図４に示すように、カートリッジ本体４の上面側に形成した第１の記録再生用開口部２１を開閉する第１のシャッタ部２４と、カートリッジ本体４の下面に形成した中央開口部１９及び第２の記録再生用開口部２２を開閉する第２のシャッタ部２５と、第１及び第２のシャッタ部２４，２５の基端部側を第１のシャッタ部２４と第２のシャッタ部２５が互いにほぼ平行となるように連結する連結部２６とを備え、第２のシャッタ部２５は、第２の記録再生用開口部２２と中央開口部１９を閉塞するため、第１の記録再生用開口部２１のみを閉塞する第１のシャッタ部２４より長く形成されている。
【００２５】
ここで、第２のシャッタ部２５は、第１のシャッタ部２４より長く形成されていることから、平坦性の制御が困難であり、先端部が第１のシャッタ部２４側若しくは互いに離間する方向に傾きやすい。先端部が第１のシャッタ部２４側に傾いてしまった場合には、先端部がカートリッジ本体４の上面に圧接され、シャッタ部材２３が移動操作される際に、カートリッジ本体４の下面を削ってしまうことになる。また、第２のシャッタ部２５が第１のシャッタ部２４と離間する方向に傾いてしまった場合には、カートリッジ本体４にシャッタ部材２３が取り付けられたディスクカートリッジ１が記録再生装置に装填されたとき、記録再生装置側のカートリッジホルダに引っかかってしまう。そこで、第２のシャッタ部２５には、膨出部２７が形成されている。
【００２６】
第２のシャッタ部２５に形成される膨出部２７は、図３乃至図６に示すように、第２のシャッタ部２５の幅方向の中央部に、第２のシャッタ部２５の基端側から先端側、すなわち長手方向に亘って略矩形状に形成されている。また、膨出部２７は、第２のシャッタ部２５の長手方向に略弧状に湾曲して形成されている。この膨出部２７の膨出量は、シャッタ部材２３がカートリッジ本体４のシャッタ移動凹部３５に取り付けられたとき、カートリッジ本体４の下面より突出しない程度に設定され、このような膨出量とすることで、記録再生装置に対するディスクカートリッジ１の挿脱操作をする際、例えば記録再生装置側のカートリッジホルダに引っかかり、ディスクカートリッジ１の挿脱の障害とならないようにしている。
【００２７】
また、第２のシャッタ部２５には、先端側と基端側に、外側に向かって湾曲した湾曲部３４，３４が形成されている。湾曲部３４，３４は、第２のシャッタ部２５の幅方向の縁部であって、膨出部２７の両側に形成されている。湾曲部３４，３４は、膨出部２７と同方向に湾曲するように形成されることで、第２のシャッタ部２５の全体を長手方向に湾曲させている。また、膨出部２７の曲率半径は湾曲部３４，３４の曲率半径と同一若しくは湾曲部３４，３４の曲率半径より小さくなるように形成され、第２のシャッタ部２５全体を滑らかな曲面となし、見栄えを良くしている。
【００２８】
具体的に、シャッタ部材２３では、図７に示すように、第２のシャッタ部２５の全体が滑らかな面となるように膨出部２７の曲率半径ｒ1が湾曲部３４，３４の曲率半径ｒ2より小さくなるように形成されている。膨出部２７の曲率半径ｒ1及び中心Ｏ1は、シャッタ部材２３が取り付けられるカートリッジ本体４に形成されたシャッタ移動凹部３５に取り付けられた際、成形金型により成形される膨出部２７がカートリッジ本体４の下面より突出しないように設定される。そして、湾曲部３４，３４の中心Ｏ2は、湾曲部３４，３４の曲面を滑らかな面とするため膨出部２７の中心Ｏ1より図７中下側に位置されている。
【００２９】
なお、、膨出部２７と湾曲部３４，３４を形成するにあたっては、膨出部２７と湾曲部３４，３４の曲率半径ｒ1，ｒ2を同じにし、湾曲部３４，３４の中心Ｏ2が膨出部２７の下側に位置するようにしてもよい。また、膨出部２７と湾曲部３４，３４の中心位置Ｏ1，Ｏ2を同じ位置に設定し、膨出部２７の曲率半径ｒ1が湾曲部３４，３４の曲率半径ｒ2より大きくなるように設定しても良い。
【００３０】
また、膨出部２７には、図３乃至図６に示すように、シャッタ部材２３の移動方向と直交する方向となる長手方向の両側縁に段差部２８，２８が形成されている。段差部２８，２８は、膨出部２７の長手方向の両側縁に形成されることで、第２のシャッタ部２５の全体を長手方向に湾曲させている。また、段差部２８，２８は、外側に向かって湾曲して形成され、膨出部２７と膨出部２７が形成されていない部分との境界を滑らかな面とし、見栄えを良くしている。
【００３１】
更に、第２のシャッタ部２５には、先端部２５ｃに、シャッタ部材２３がカートリッジ本体４の前面壁１１側に組み付けられこの前面壁１１に沿って移動操作されたとき、移動をガイドするガイド片３０が形成されている。ガイド片３０は、先端部２５ｃにおいて、段差３０ａを設けることにより形成されている。
【００３２】
以上のように形成された第２のシャッタ部２５は、膨出部２７を形成し、この膨出部２７の幅方向の両側の縁部に膨出部２７の湾曲方向と同方向に湾曲した湾曲部３４，３４を形成することで、全体が長手方向に湾曲して形成されている。したがって、第２のシャッタ部２５は、長手方向の略中間部がカートリッジ本体４の下面から最も離間し、これに伴い第２のシャッタ部２５の長手方向の両側縁２５ａ，２５ｂがカートリッジ本体４の下面と僅かに離間し、第２のシャッタ部２５の先端部２５ｃに形成されたガイド片３０のみがカートリッジ本体４の下面に当接するように形成されている。そして、第２のシャッタ部２５は、カートリッジ本体４の下面と接触する場所を先端部２５ｃのガイド片３０とし、長手方向の両側縁２５ａ，２５ｂをカートリッジ本体４の下面に接触させないことで、シャッタ部材２３が移動操作されたとき、第２のシャッタ部２５の長手方向の両側縁２５ａ，２５ｂがカートリッジ本体４の下面を削りその削り粉が発生することを防止している。
【００３３】
また、第１のシャッタ部２４と第２のシャッタ部２５とを連結する連結部２６には、図３に示すように、シャッタ部材２３の移動をガイドするガイド部材３１にシャッタ部材２３を取り付けるためのねじ孔２９，２９穿設され、ねじ孔２９，２９の周囲に止めねじ３２のねじ頭の逃げとなる凹部２６ａ，２６ａが形成されている。シャッタ部材２３が取り付けられるガイド部材３１は、図２に示すように、基体部３１ａと、この基体部３１ａの両端部に形成されたガイド突起３１ｂ，３１ｃとからなり、止めねじ３２が連結部２６のねじ孔２９，２９に挿通され、基体部３１ａに形成されたねじ孔に螺入されることにより、シャッタ部材２３の連結部２６に取り付けられる。ガイド部材３１は、ガイド突起３１ｂ，３１ｃがカートリッジ本体４の前面壁１１に沿って形成されたガイド溝３３に係合される。ガイド突起３１ｂ，３１ｃがガイド溝３３に係合されることで、シャッタ部材２３は、第１のシャッタ部２４を第１の記録再生用開口部２１上に延在させ、第２のシャッタ部２５を第２の記録再生用開口部２２及び中央開口部１９上に延在させるようにして、カートリッジ本体４の前面壁１１側に組み付けられる。そして、シャッタ部材２３は、第１及び第２のシャッタ部２４，２５が第１及び第２の記録再生用開口部２１，２２を閉塞し、第２のシャッタ部２５が中央開口部１９を閉塞した位置と第１及び第２の記録再生用開口部２１，２２と中央開口部１９を開放した位置との間に亘って図１及び図２中矢印Ａ方向及び反矢印Ａ方向に移動操作される。
【００３４】
なお、シャッタ部材２３は、カートリッジ本体４内に配設された付勢部材であるねじりコイルバネによって、第１及び第２の記録再生用開口部２１，２２と中央開口部１９を閉塞する図１及び図２中矢印Ａ方向に付勢されている。このねじりコイルバネは、一端部をカートリッジ本体４に係止させ、他端部をガイド部材３１に設けられたバネ係止部に係止させてカートリッジ本体４内に配設されることにより、シャッタ部材２３を第１及び第２の記録再生用開口部２１，２２と中央開口部１９を閉塞する図１及び図２中矢印Ａ方向に付勢させている。
【００３５】
カートリッジ本体４の上下面及び前面壁１１には、図１及び図２に示すように、シャッタ部材２３の移動領域に対応して、第１及び第２の記録再生用開口部２１，２２の周縁からカートリッジ本体４の一方の側面壁１３側に亘って凹状をなすシャッタ移動凹部３５，３５が形成されている。シャッタ部材２３は、第１及び第２のシャッタ部２４，２５と連結部２６をシャッタ移動凹部３５，３５内に延在させることにより、カートリッジ本体４の周面から突出することなく略面一となされて取り付けられる。すなわち、このシャッタ移動凹部３５，３５は、第２のシャッタ部２５が湾曲して形成されていることから、第２のシャッタ部２５の膨出部２７がカートリッジ本体４の主面より突出しない深さに形成されている。
【００３６】
また、カートリッジ本体４の下面のシャッタ移動凹部３５には、カートリッジ本体４の中心側にシャッタ部材２３の移動方向に沿って、ガイド溝が形成され、このガイド溝に第２のシャッタ部２５の先端部２５ｃに形成されたガイド片３０が係合される。そして、シャッタ移動凹部３５に形成されたガイド溝には、第２のシャッタ部２５のガイド片３０を抑える抑え板３６がガイド片３０と平行となるように配設される。このガイド片３０は、抑え板３６によりシャッタ移動凹部３５のガイド溝に抑えられることで、浮き上がりが防止されている。
【００３７】
ところで、以上のようにカートリッジ本体４の前面壁１１側に取り付けられるシャッタ部材２３は、図８に示すようなシャッタ製造装置４０により製造される。このシャッタ製造装置４０は、金属薄板が巻回された原反プレート４１を送出する原反送出機構４２と、原反送出機構４２より送出された原反プレート４１の歪みを矯正する矯正機構４３と、矯正機構４３により歪みが矯正された原反プレート４１をプレス加工しシャッタ部材２３を形成するプレス機構４４と、プレス機構４４により形成されたシャッタ部材２３を整列し送り出す送出機構４５とを備える。ここで、原反プレート４１は、厚さが０．３ｍｍの硬質アルミ材であり、表面に耐汚損性、耐食性の向上及び表面の強度強化、更には、見栄えを良くするために、アクリル樹脂、エポキシ樹脂等の合成樹脂製の薄膜が形成されている。なお、原反プレート４１は、陽極酸化処理を施したもの、物理的傷を付けるダル加工やヘアライン加工を施したものであっても良い。
【００３８】
そして、矯正機構４３において歪みが除去された原反プレート４１は、図９に示すように、第１の工程において、プレス機構４４内における原反プレート４１の位置決めを図り、送りを良くするため、位置決め孔４６が、シャッタ部材２３を形成する領域以外の領域に穿設される。
【００３９】
そして、位置決め孔４６が穿設された原反プレート４１は、第２の工程において、第１のシャッタ部２４の長手方向の両側縁２４ａ，２４ｂ及び第２のシャッタ部２５の長手方向の両側縁２５ａ，２５ｂを形成するための切除部４７が打ち抜き除去されるとともに、シャッタ部材２３の連結部２６に形成されるねじ孔２９，２９が穿設される。
【００４０】
次いで、第３の工程において、原反プレート４１は、第１のシャッタ部２４の先端部２４ｃと第２のシャッタ部２５の先端部２５ｃとを形成するため、原反プレート４１の縁部４９が打ち抜かれ除去される。
【００４１】
そして、第４の工程では、シャッタ部材２３の連結部２６に凹部２６ａを形成するとともに、第２のシャッタ部２５の先端部２５ｃにガイド片３０となる段差３０ａを形成するため、これらの領域を加圧し、ガイド片３０と先端部２５ｃを形成する。
【００４２】
また、第４の工程では、原反プレート４１の第２のシャッタ部２５に対応する領域に、膨出部２７及び湾曲部３４，３４を形成する。
【００４３】
ここで、膨出部２７を形成する際に、膨出部２７を形成する成形金型５７は、膨出部２７の膨出量をカートリッジ本体４の下面より突出しない量にする必要がある。具体的に、図１０（Ａ）に示すように、連結部２６が形成される領域となる原反プレート４１の裏面から延長され、先端部２５ｃ側の湾曲部３４と段差３０ａとで構成されるコーナ部に亘る仮想直線５６と膨出部２７の頂部との間隔である膨出量Ｈ1を略０．１ｍｍとする必要がある。なお、この仮想直線５６は、シャッタ部材２３がシャッタ移動凹部３５に取り付けられたときのカートリッジ本体４の下面に対応する。
【００４４】
この膨出量Ｈ1を略０．１ｍｍとするために、膨出部２７を形成する成形金型５７は、図１０（Ｂ）に示すように、膨出部２７を形成するための膨出部形成部５８と、湾曲部３４，３４を形成するための湾曲部形成部５９，５９と、段差部２８，２８を形成するための段差部形成部６０，６０と、ガイド片３０を形成するためのガイド片形成部５５とが設けられている。以上のように構成される成形金型５７は、膨出部形成部５８を形成した後、次いで湾曲部形成部５９，５９を形成すると同時に段差部形成部６０，６０を形成し、次いでガイド片形成部５５を形成する。
【００４５】
ここで、膨出部形成部５８の曲率半径Ｒと膨出部形成部５８の膨出量Ｈ2を可変して、可変後の膨出部形成部５８により形成された膨出部２７の膨出量Ｈ1が略０．１ｍｍとなる膨出部形成部５８の曲率半径Ｒと膨出量Ｈ2の最適値を確認した。なお、このときの第２のシャッタ部２５の長手方向の寸法は、２７ｍｍである。
【００４６】
【表１】
0004304766.tif 000002
【００４７】
表１に示すように、成形金型５７の膨出部形成部５８の膨出量Ｈ2が０．１ｍｍ、０．２ｍｍで曲率半径Ｒが４０６１ｍｍ、２０３０ｍｍのとき、成形された第２のシャッタ部２５の膨出部２７の膨出量Ｈ1は共に０ｍｍであり、膨出部形成部５８の膨出量Ｈ2が０．３ｍｍで曲率半径Ｒが１３５４ｍｍのとき、膨出部２７の膨出量Ｈ1は膨出部２７の膨出量Ｈ1は０．０２４ｍｍであり、膨出部形成部５８の膨出量Ｈ2が０．４ｍｍで曲率半径Ｒが１０２６ｍｍのとき、膨出部２７の膨出量Ｈ1は膨出部２７の膨出量Ｈ1は０．０４４ｍｍであり、膨出部形成部５８の膨出量Ｈ2が０．５ｍｍで曲率半径Ｒが８１３ｍｍのとき、膨出部２７の膨出量Ｈ1は膨出部２７の膨出量Ｈ1は０．０８１ｍｍであり、膨出部形成部５８の膨出量Ｈ2が０．６ｍｍで曲率半径Ｒが６７７ｍｍのとき、膨出部２７の膨出量Ｈ1は膨出部２７の膨出量Ｈ1は０．１４０ｍｍであった。
【００４８】
以上より明らかなように、成形金型５７の膨出部形成部５８の膨出量Ｈ2が０．１ｍｍから０．４ｍｍで膨出部形成部５８の曲率半径Ｒが４０６１ｍｍから１０２６ｍｍのときは、成形された第２のシャッタ部２５の膨出部２７の膨出量Ｈ1は０ｍｍから０．０４４ｍｍであり、したがって、第２のシャッタ部２５は、十分な長手方向の湾曲を得ることができなかった。一方、成形金型５７の膨出部形成部５８の膨出量Ｈ2が０．６ｍｍで膨出部形成部５８の曲率半径Ｒが６７７ｍｍのとき、成形された第２のシャッタ部２５の膨出部２７の膨出量Ｈ1は０．１４０ｍｍであり、第２のシャッタ部２５の膨出部２７がシャッタ移動凹部３５に収まらず、カートリッジ本体４の下面より突出してしまうことになる。すなわち、成形金型５７の膨出部形成部５８の膨出量Ｈ2が０．５ｍｍで膨出部形成部５８の曲率半径Ｒが８１３ｍｍのとき、成形された第２のシャッタ部２５の膨出部２７の膨出量Ｈ1は、０．１ｍｍに最も近い０．０８１ｍｍとなり、第２のシャッタ部２５には、この寸法の成形金型５７により、所望値の膨出部２７を形成することができる。
【００４９】
次いで、第５の工程では、再度、シャッタ部材２３の連結部２６に凹部２６ａと第２のシャッタ部２５の先端部２５ｃにガイド片３０となる段差３０ａを再加圧し、凹部２６ａ及びガイド片３０の形状を整え、止めねじ３２よりシャッタ部材２３を連結部２６において、ガイド部材３１にねじ止めし易くし、また、シャッタ部材２３をカートリッジ本体４に組み付けやすくする。
【００５０】
この後、第６の工程では、第１のシャッタ部２４と第２のシャッタ部２５を形成するため、折曲線５１，５２に沿って略直角に原反プレート４１を折り曲げる。これにより、略コ字状に形成される。
【００５１】
そして、第７の工程では、第１及び第２のシャッタ部２４，２５が略直角に折り曲げられた原反プレート４１は、各シャッタ部材２３に分離するため、接続部５３が除去され、シャッタ部材２３が完成する。この後、シャッタ部材２３は、送出機構４５により整列され、順次シャッタ部材２３をカートリッジ本体４に取り付けるシャッタ取り付け工程に搬出される。
【００５２】
以上のようなシャッタ部材２３が取り付けられたカートリッジ本体４には、下面であって、背面壁１２側の一方のコーナ部に、図１及び図２に示すように、誤記録防止部材６１が移動可能に設けられている。誤記録防止部材６１は、カートリッジ本体４に穿設した誤記録防止孔６２を開閉することによって、光磁気ディスク５への情報信号の記録を可能とする状態と、情報信号の記録を阻止する状態とを選択する。
【００５３】
また、カートリッジ本体４の下面には、図２に示すように、記録再生装置側に設けられるディスクカートリッジ１の装着位置を位置決めする位置決めピンが係合する第１及び第２の位置決め基準孔６３，６４が設けられている。これら位置決め基準孔６３，６４は、背面壁１２側であって、シャッタ部材２３が移動する方向の両側に位置して設けられ、第１の位置決め基準穴６３は、断面形状を円形となす位置決めピンに対応する円形に形成され、第２の位置決め基準穴６４は、位置決めピンに対する係合位置を補正できるようにシャッタ部材２３の移動方向を長径とした長穴として形成されている。また、カートリッジ本体４の側面壁１３，１４の背面壁１２側には、ディスクカートリッジ１を自動装填装置により記録再生装置に装填するときに用いられるローディングアームが係合される凹部６７が形成されている。
【００５４】
なお、カートリッジ本体４を構成する上ハーフ２の内面側の各コーナ部には、図示しないが上下ハーフ２，３を結合するための止めねじ６５が螺合されるボスが形成され、下ハーフ３の各コーナ部には、止めねじ６５が挿通される挿通孔６６が穿設されている。上下ハーフ２，３は、止めねじ６５を下ハーフ３の挿通孔６６に挿通し、上ハーフ２のボスに螺合することにより、カートリッジ本体４を形成する。
【００５５】
以上のように構成されたディスクカートリッジ１は、記録再生装置に装填されていない非使用時において、シャッタ部材２３により第１及び第２の記録再生用開口部２１，２２と中央開口部１９が閉塞された状態にある。シャッタ部材２３の第１のシャッタ部２４より長い第２のシャッタ部２５は、膨出部２７を形成し、この膨出部２７の長手方向の両側の縁部に膨出部２７の湾曲方向と同方向に湾曲した湾曲部３４，３４を形成することで、全体が長手方向に湾曲して形成されている。そして、第２のシャッタ部２５は、長手方向の略中間部がカートリッジ本体４の下面から最も離間し、これに伴い第２のシャッタ部２５の長手方向の両側縁２５ａ，２５ｂがカートリッジ本体４の下面と僅かに離間し、先端部２５ｃに形成されたガイド片３０のみがシャッタ移動凹部３５のガイド溝に当接されている。
【００５６】
そして、ディスクカートリッジ１は、記録再生装置に装着されると、第１及び第２の位置決め基準穴６３，６４を記録再生装置側に設けられた位置決めピンに係合させて水平方向の位置決めが図られる。また、記録再生装置に装着されると同時に、シャッタ部材２３は、記録再生装置側のシャッタ開放操作機構によってねじりコイルバネの付勢力に抗して図１及び図２中矢印Ａ方向に移動され、第１及び第２の記録再生用開口部２１，２２と中央開口部１９を開放する。このとき、第２のシャッタ部２５は、全体が長手方向に湾曲して形成されていることで、第２のシャッタ部２５の長手方向の両側縁２５ａ，２５ｂがカートリッジ本体４の下面と僅かに離間していることから、シャッタ部材２３が移動操作された場合であっても、第２のシャッタ部２５の長手方向の両側縁２５ａ，２５ｂがカートリッジ本体４の下面を削ることを防止している。
【００５７】
そして、シャッタ部材２３が移動操作され中央開口部１９を開放すると、センターコア８は、筒状体８ａの底面が記録再生装置側のディスク回転操作機構を構成するディスクテーブルに載置され、ディスク回転駆動機構を構成する駆動モータのスピンドル軸がスピンドル軸係合孔８ｃに係合されるとともに、ディスクテーブルに内蔵されたマグネットにより磁気吸引され、光磁気ディスク５は、ディスクテーブルと一体的に回転可能な状態となる。そして、ディスク回転操作機構が駆動されると、センターコア８がディスク回転操作機構のマグネットに磁気吸引された光磁気ディスク５は、ディスク回転操作機構を構成する駆動モータのスピンドル軸を中心としてディスクテーブルの回転に同期して回転駆動される。
【００５８】
これと同時に、第１の記録再生用開口部２１からは、記録再生手段を構成する磁気ヘッドが進入し、回転する光磁気ディスク５上に位置される。また、第２の記録再生用開口部２２からは、光ピックアップの対物レンズが進入し、光磁気ディスク５の信号記録領域に光ビームを照射する。そして、磁気ヘッドと光ピックアップとが同期して光磁気ディスク５の径方向に移動操作されることにより、光磁気ディスク５に対して情報信号の記録又は再生が行われる。
【００５９】
以上のようにディスクカートリッジ１は、記録再生装置に対して挿脱がなされるとき、シャッタ部材２３がカートリッジ本体４の前面壁１１に沿って移動操作されるが、シャッタ部材２３は、上述したように第２のシャッタ部２５が長手方向に湾曲して形成されていることから、長手方向の両側縁２５ａ，２５ｂがカートリッジ本体４の下面に接触せず、先端部２５ｃのガイド片３０のみが抑え板３６に抑えられ、カートリッジ本体４の下面のシャッタ移動凹部３５のガイド溝に接触した状態にある。したがって、ディスクカートリッジ１は、シャッタ部材２３が繰り返し移動操作されても、第２のシャッタ部２５の長手方向の両側縁２５ａ，２５ｂがカートリッジ本体４の下面を削ることがなく、カートリッジ本体４の削り粉がカートリッジ本体４内に侵入することを防止することができる。これにより、光磁気ディスク５には、カートリッジ本体４の削り粉が付着することもないことから、確実に情報信号を光磁気ディスク５に記録し、また、光磁気ディスク５に記録された情報信号を読み出すことができる。また、シャッタ部材２３は、第２のシャッタ部２５が長手方向に湾曲し、長手方向の側縁２５ａ，２５ｂがカートリッジ本体４のシャッタ移動凹部３５に接触していないことから、円滑にカートリッジ本体４の前面壁１１に沿って移動することができる。
【００６０】
次に、以上図面を参照して説明したディスクカートリッジ１のシャッタ部材２３の参考例となる他の例について、図１１及び図１２を参照して説明する。このシャッタ部材７１は、上述した第２のシャッタ部２５が長手方向に湾曲して形成されたシャッタ部材２３と異なり、第２のシャッタ部が第２のシャッタ部の幅方向に湾曲して形成されたシャッタ部材を備えることを特徴とするものである。なお、上述したディスクカートリッジ１と同一の部材については、同一の符号を付してその詳細は省略する。
【００６１】
このディスクカートリッジに用いられるシャッタ部材７１は、上述したシャッタ部材２３と同様に、硬質アルミ材により形成され、図１１に示すように、カートリッジ本体４の上面に形成された第１の記録再生用開口部２１を開閉する第１のシャッタ部７２と、カートリッジ本体４の下面に形成された中央開口部１９及び第２の記録再生用開口部２２を開閉する第２のシャッタ部７３と、第１のシャッタ部７２と第２のシャッタ部７３とを基端側を第１のシャッタ部７２と第２のシャッタ部７３とが略平行になるように連結する連結部７４とを備え、第２のシャッタ部７３は、第２の記録再生用開口部２２と中央開口部１９とを閉塞する必要があることから、第１の記録再生用開口２１のみを閉塞する第１のシャッタ部７２より長く形成されている。
【００６２】
ここで、第２のシャッタ部７３は、上述したシャッタ部材２３と同様に、第１のシャッタ部７２より長く形成されていることから、平坦性の制御が困難であり、先端部が第１のシャッタ部７２側若しくは互いに離間する方向に傾きやすい。また、第２のシャッタ部７３が第１のシャッタ部７２と離間する方向に傾いてしまった場合には、カートリッジ本体４にシャッタ部材７１が取り付けられたディスクカートリッジ１が記録再生装置に装填されたとき、記録再生装置側のカートリッジホルダに引っかかってしまう。そこで、第２のシャッタ部７３には、膨出部７５が形成されている。
【００６３】
第２のシャッタ部７３に形成される膨出部７５は、図１１に示すように、第２のシャッタ部７３の幅方向の中央部に、第２のシャッタ部７３の基端側から先端側、すなわち長手方向に亘って略矩形状に形成されている。また、膨出部７５は、第２のシャッタ部７３の幅方向に略弧状に湾曲して形成されている。この膨出部７５の膨出量は、シャッタ部材７１がカートリッジ本体４のシャッタ移動凹部３５に取り付けられたとき、カートリッジ本体４の下面より突出しない量に設定され、このような膨出量とすることで、記録再生装置に対するディスクカートリッジ１の挿脱操作をする際、例えば記録再生装置側のカートリッジホルダに引っかかり、ディスクカートリッジ１の挿脱の阻害とならないようにしている。
【００６４】
また、第２のシャッタ部７３には、膨出部７５の両側となる長手方向の両側縁部に、外側に向かって湾曲した湾曲部７９，７９が形成されている。湾曲部７９，７９は、膨出部７５と同方向に湾曲するように形成されることで、第２のシャッタ部７３の全体を幅方向に湾曲させている。また、膨出部７５の曲率半径は湾曲部７９，７９の曲率半径と同一若しくは湾曲部７９，７９の曲率半径より小さくなるように形成され、第２のシャッタ部７３全体を滑らかな曲面となし、見栄えを良くしている。
【００６５】
また、膨出部７５には、シャッタ部材７１の移動方向となる幅方向の両側縁に段差部７６，７６が形成されている。段差部７６，７６は、膨出部７５の幅方向の両側縁に形成されることで、第２のシャッタ部２５の全体を幅方向に湾曲させている。また、段差部７６，７６は、外側に向かって湾曲して形成され、膨出部７５と膨出部７５が形成されていない部分との境界を滑らかな面とし、見栄えを良くしている。
【００６６】
更に、第２のシャッタ部７３には、図１２に示すように、先端部７３ａに、シャッタ部材７１がカートリッジ本体４の前面壁１１側に組み付けられこの前面壁１１に沿って移動操作されたとき、移動をガイドするガイド片７７が形成されている。ガイド片７７は、先端部７３ａにおいて、段差７７ｂを設けることにより形成されている。このガイド片７７は、カートリッジ本体４の下面のシャッタ移動凹部３５のカートリッジ本体４の中心側に設けられたガイド溝７８に係合される。シャッタ移動凹部３５に形成されたガイド溝７８には、第２のシャッタ部７３のガイド片７７を抑える抑え板３６が配設される。第２のシャッタ部７３のガイド片７７は、抑え板３６によりシャッタ移動凹部３５に抑えられることで、浮き上がりが防止されている。
【００６７】
以上のように形成された第２のシャッタ部７３は、膨出部７５を形成し、この膨出部７５の長手方向の両側に膨出部７５の湾曲方向と同方向に湾曲した湾曲部７９，７９を形成することで、全体が幅方向に湾曲して形成されている。したがって、第２のシャッタ部７３は、幅方向の略中央部がカートリッジ本体４の下面から最も離間し、これに伴い第２のシャッタ部７３の先端部７３ａとなるガイド片７７が湾曲した形状となり、第２のシャッタ部７３の長手方向の両側縁７３ｂ，７３ｃがカートリッジ本体４の下面に当接している。そして、第２のシャッタ部７３は、長手方向の両側縁７３ｂ，７３ｃをカートリッジ本体４の下面に当接させることで、第２の記録再生用開口部２２及び中央開口部１９よりカートリッジ本体４内に塵埃等の異物が侵入することを防止している。また、第２のシャッタ部７３のガイド片７７は、湾曲して形成されていることから、抑え板３６とは、ガイド片７７の中央部のみで接触し、ガイド溝７８とはガイド片７７の両端部のみで接触する。したがって、ガイド片７７と抑え板３６及びガイド溝７８との摩擦力を小さくすることができ、シャッタ部材７１をカートリッジ本体４の前面壁１１に沿って円滑に移動操作することができる。
【００６８】
更に、上述したディスクカートリッジ１のシャッタ部材２３の他の例について、図１３を参照して説明する。このシャッタ部材８１は、第２のシャッタ部のみが湾曲して形成されたシャッタ部材２３と異なり、第１のシャッタ部にも膨出部が形成され、全体が湾曲して形成されていることを特徴とするものである。なお、上述したディスクカートリッジ１と同一の部材については同一の符号を付してその詳細は省略する。
【００６９】
このディスクカートリッジ１に用いられるシャッタ部材８１は、上述したシャッタ部材２３と同様に硬質アルミ材により形成され、図１３に示すように、カートリッジ本体４の上面に形成された第１の記録再生用開口部２１を閉塞する第１のシャッタ部８２と、カートリッジ本体４の下面に形成された中央開口部１９と第２の記録再生用開口部２２を閉塞する第２のシャッタ部８３と、第１のシャッタ部８２と第２のシャッタ部８３とを、互いに略平行となるように連結する連結部８４とを備え、第２のシャッタ部８３は、第２の記録再生用開口部２２と中央開口部１９とを閉塞することから、第１の記録再生用開口部２１のみを閉塞する第１のシャッタ部８２より長く形成されている。
【００７０】
ここで、第１のシャッタ部８２と第２のシャッタ部８３とを略９０°に折曲し互いに略平行となるように形成することは困難であり、第１のシャッタ部８２の先端部と第２のシャッタ部８３の先端部が互いに近接する方向に曲がりすぎたり、互いに開きすぎたりして、平坦性を制御することが困難である。第１及び第２のシャッタ部８２，８３の先端部が内側に傾いてしまった場合には、先端部がカートリッジ本体４の上下面に圧接され、シャッタ部材８１が移動操作される際に、カートリッジ本体４の上下面を削ってしまうことになる。また、第１及び第２のシャッタ部８２，８３が互いに離間する方向に傾いてしまった場合には、カートリッジ本体４にシャッタ部材８１が取り付けられたディスクカートリッジ１が記録再生装置に装填されたとき、記録再生装置側のカートリッジホルダに引っかかってしまう。そこで、第１及び第２のシャッタ部８２，８３には、膨出部８５，８６が形成されている。
【００７１】
第１のシャッタ部８２の膨出部８５は、第１のシャッタ部８２の幅方向の中央部に、第１のシャッタ部８２の基端側から先端側、すなわち長手方向に亘って略矩形状に形成されている。また、膨出部８５は、第１のシャッタ部８２の長手方向に略弧状に湾曲して形成されている。この膨出部８５の膨出量は、シャッタ部材８１がカートリッジ本体４の上下面に形成されたシャッタ移動凹部３５に取り付けられたとき、カートリッジ本体４の上面より突出しない量に設定され、このような膨出量とすることで、記録再生装置に対するディスクカートリッジ１の挿脱操作をする際、例えば記録再生装置側のカートリッジホルダに引っかかり、ディスクカートリッジ１の挿脱の阻害とならないようにしている。
【００７２】
また、第１のシャッタ部８２には、先端部８２ｃと基端部８２ｄ側に、外側に向かって湾曲した湾曲部８９，８９が形成されている。湾曲部８９，８９は、第１のシャッタ部８２の幅方向の縁部であって、膨出部８５の両側に形成されている。すなわち、湾曲部８９，８９は、膨出部８５と同方向に湾曲するように形成されることで、第１のシャッタ部８２の全体を長手方向に湾曲させている。また、膨出部８５の曲率半径は湾曲部８９，８９の曲率半径と同一若しくは湾曲部８９，８９の曲率半径より小さくなるように形成され、第１のシャッタ部８２全体を滑らかな曲面となし、見栄えを良くしている。
【００７３】
また、膨出部８５には、シャッタ部材８１の移動方向と直交する方向となる長手方向の両側縁に段差部８７，８７が形成されている。段差部８７，８７は、膨出部８５の長手方向の両側縁に形成されることで、第１のシャッタ部８２の全体を長手方向に湾曲させている。また、段差部８７，８７は、外側に向かって湾曲して形成され、膨出部８５と膨出部８５が形成されていない部分との境界を滑らかな面とし、見栄えを良くしている。
【００７４】
以上のように形成された第１のシャッタ部８２は、膨出部８５を形成し、この膨出部８５の幅方向の両側の縁部に膨出部８５の湾曲方向と同方向に湾曲した湾曲部８９，８９を形成することで、全体が長手方向に湾曲して形成されている。したがって、第１のシャッタ部８２は、長手方向の略中間部がカートリッジ本体４の下面から最も離間し、これに伴い第１のシャッタ部８２の長手方向の両側縁８２ａ，８２ｂがカートリッジ本体４の下面と僅かに離間し、第１のシャッタ部８２の先端部２５ｃのみがカートリッジ本体４の上面に当接するように形成されている。そして、第１のシャッタ部８２は、先端部２５ｃがカートリッジ本体４の上面に接触され、長手方向の両側縁８２ａ，８２ｂがカートリッジ本体４の下面に接触させないことで、シャッタ部材８１が移動操作されたとき、第１のシャッタ部８２の両側縁８２ａ，８２ｂがカートリッジ本体４の上面を削りその削り粉が発生することを防止している。
【００７５】
また、第２のシャッタ部８３の膨出部８６は、幅方向の中央部に、基端側から先端側、すなわち長手方向に亘って略矩形状に形成されている。また、膨出部８６は、第２のシャッタ部８３の長手方向に略弧状に湾曲して形成されている。この膨出部８６の膨出量は、シャッタ部材８１がカートリッジ本体４のシャッタ移動凹部３５に取り付けられたとき、カートリッジ本体４の下面より突出しない量に設定され、このような膨出量とすることで、記録再生装置に対するディスクカートリッジ１の挿脱操作をする際、例えば記録再生装置側のカートリッジホルダに引っかかり、ディスクカートリッジ１の挿脱の阻害とならないようにしている。
【００７６】
また、第２のシャッタ部８３には、先端部８３ｃと基端部８３ｄ側に、外側に向かって湾曲した湾曲部９０，９０が形成されている。湾曲部９０，９０は、第２のシャッタ部８３の幅方向の縁部であって、膨出部８６の両側に形成されている。すなわち、湾曲部９０，９０は、膨出部８６と同方向に湾曲するように形成されることで、第２のシャッタ部８３の全体を長手方向に湾曲させている。また、膨出部８６の曲率半径は湾曲部９０，９０の曲率半径と同一若しくは湾曲部９０，９０の曲率半径より小さくなるように形成され、第２のシャッタ部８３全体を滑らかな曲面となし、見栄えを良くしている。
【００７７】
また、膨出部８６には、シャッタ部材８１の移動方向と直交する方向となる長手方向の両側縁に段差部８８，８８が形成されている。段差部８８，８８は、膨出部８６の長手方向の両側縁に形成されることで、第２のシャッタ部８３の全体を長手方向に湾曲させている。また、段差部８８，８８は、外側に向かって湾曲して形成され、膨出部８６と膨出部８６が形成されていない部分との境界を滑らかな面とし、見栄えを良くしている。
【００７８】
更に、第２のシャッタ部８３には、先端部８３ｃに、シャッタ部材８１がカートリッジ本体４の前面壁１１側に組み付けられこの前面壁１１に沿って移動操作されたとき、移動をガイドするガイド片３０が形成されている。ガイド片３０は、先端部８３ｃにおいて、段差３０ａを設けることにより形成されている。
【００７９】
以上のように形成された第２のシャッタ部８３は、膨出部８６を形成し、この膨出部８６の幅方向の両側の縁部に膨出部８６の湾曲方向と同方向に湾曲した湾曲部９０，９０を形成することで、全体が長手方向に湾曲して形成されている。したがって、第２のシャッタ部８３は、長手方向の略中間部がカートリッジ本体４の下面から最も離間し、これに伴い第２のシャッタ部８３の長手方向の両側縁８３ａ，８３ｂがカートリッジ本体４の下面と僅かに離間し、ガイド片３０が形成された先端部８３ｃのみがカートリッジ本体４の下面に当接するように形成されている。そして、第２のシャッタ部８３は、カートリッジ本体４の下面と接触する場所を先端部８３ｃのガイド片３０とし、長手方向の両側縁８３ａ，８３ｂをカートリッジ本体４の下面に接触させないことで、シャッタ部材８１が移動操作されたとき、第２のシャッタ部８３の長手方向の両側縁８３ａ，８３ｂがカートリッジ本体４の下面を削りその削り粉が発生することを防止している。
【００８０】
以上のようにシャッタ部材８１は、第１のシャッタ部８２に膨出部８５が形成されることでシャッタ部材８１の移動方向と直交する方向の側縁８２ａ，８２ｂがカートリッジ本体４の上面に接触することが防止され、第２のシャッタ部８３に膨出部８６が形成されることでシャッタ部材８１の長手方向の両側縁８３ａ，８３ｂがカートリッジ本体４の下面に接触することが防止されることから、シャッタ部材８１が移動操作される度にカートリッジ本体４が削られ、この削り粉が開口部１９，２１，２２より侵入し光磁気ディスク５に付着することを防止することができる。また、シャッタ部材８１は、第１及び第２のシャッタ部８２，８３がシャッタ部材８１の長手方向の側縁８２ａ，８２ｂ，８３ａ，８３ｂがシャッタ部材８１の移動方向と直交する方向に湾曲し、側縁８２ａ，８２ｂ，８３ａ，８３ｂがカートリッジ本体４のシャッタ移動凹部３５に接触しないことから、円滑にカートリッジ本体４の前面壁１１に沿って移動することができる。
【００８１】
なお、このシャッタ部材８１は、上述したシャッタ部材７１のようにシャッタ部材の移動方向となる両側縁に段差部を設け、第１及び第２のシャッタ部の幅方向に湾曲させるようにしてもよい。この場合、第１及び第２のシャッタ部８２，８３は、長手方向の両側縁８２ａ，８２ｂ，８３ａ，８３ｂをカートリッジ本体４の上下面に当接させることで、第１及び第２の記録再生用開口部２１，２２及び中央開口部１９よりカートリッジ本体４内に塵埃等の異物が侵入することを防止することができる。
【００８２】
更にまた、本発明が適用された上述したディスクカートリッジ１と異なるディスクカートリッジに用いるシャッタ部材について、図１４を参照して説明する。なお、上述したディスクカートリッジ１と同一の部材については、同一の符号を付してその詳細は省略する。
【００８３】
このシャッタ部材９１を用いるディスクカートリッジは、カートリッジ本体の上下面の中央部にカートリッジ本体４に収納された光磁気ディスク５に取り付けられたセンターコア８を外方に臨ませる略円形の中央開口部１９，１９が形成されている。また、カートリッジ本体４の上面側を構成する上ハーフ２及びカートリッジ本体４の下面側を構成する下ハーフ３の相対向する位置には、カートリッジ本体４に収納した光磁気ディスク５の信号記録領域の少なくとも一部を径方向に亘って外方に臨ませる第１及び第２の記録再生用開口部２１，２２が形成されている。そして、シャッタ部材９１は、カートリッジ本体４の前面壁１１側よりカートリッジ本体４に取り付けられる。
【００８４】
このシャッタ部材９１は、上述したシャッタ部材２３，７１，８１と同様に、硬質アルミ材により形成され、図１４に示すように、カートリッジ本体４の上面に形成された中央開口部１９と第１の記録再生用開口部２１とを開閉する第１のシャッタ部９２と、カートリッジ本体４の下面に形成された中央開口部１９と第２の記録再生用開口部２２とを開閉する第２のシャッタ部９３と、第１のシャッタ部９２と第２のシャッタ部９３の基端側を互いに略平行となるように連結する連結部９４とを備える。すなわち、シャッタ部材９１の第１及び第２のシャッタ部９２，９３は、上述したシャッタ部材２３，７１，８１の第２のシャッタ部２５，７３，８３と同じ長さに形成されている。
【００８５】
したがって、第１及び第２のシャッタ部９２，９３は、上述したシャッタ部材２３の第１のシャッタ部２４やシャッタ部材７１の第１のシャッタ部７２やシャッタ部材８１の第１のシャッタ部８２より長く形成されていることから、平坦性の制御が困難であり、第１のシャッタ部９２の先端部と第２のシャッタ部９３の先端部とが近接し過ぎ、或いは離間し過ぎ、互いに平行となるように成型することが困難である。そこで、第１のシャッタ部９２と第２のシャッタ部９３には、第１及び第２の膨出部９５，９６が形成されている。
【００８６】
ここで、第１及び第２のシャッタ部９２，９３に形成された第１及び第２の膨出部９５，９６は、第１及び第２のシャッタ部９２，９３の幅方向の中央部に、第１及び第２のシャッタ部９２，９３の基端側から先端側、すなわち長手方向に亘って略矩形状に形成されている。また、膨出部９５，９６は、第１及び第２のシャッタ部９２，９３の長手方向に略弧状に湾曲して形成されている。この膨出部９５，９６の膨出量は、シャッタ部材９１がカートリッジ本体４のシャッタ移動凹部３５に取り付けられたとき、カートリッジ本体４の主面より突出しない量に設定され、このような膨出量とすることで、記録再生装置に対するディスクカートリッジ１の挿脱操作をする際、例えば記録再生装置側のカートリッジホルダに引っかかり、ディスクカートリッジ１の挿脱の阻害とならないようにしている。
【００８７】
また、第１及び第２のシャッタ部９２，９３には、先端部９２ｃ，９３ｃと連結部９４側に、外側に向かって湾曲した湾曲部９９，１００が形成されている。湾曲部９９，１００は、第１及び第２のシャッタ部９２，９３の幅方向の縁部であって、膨出部９５，９６の両側に形成されている。すなわち、湾曲部９９，１００は、膨出部９５，９６と同方向に湾曲するように形成されることで、第１及び第２のシャッタ部９２，９３の全体を長手方向に湾曲させている。また、膨出部９５，９６の曲率半径は湾曲部９９，１００の曲率半径と同一若しくは湾曲部９９，１００の曲率半径より小さくなるように形成され、第１及び第２のシャッタ部９２，９３全体を滑らかな曲面となし、見栄えを良くしている。
【００８８】
また、膨出部９５，９６には、長手方向の両側縁に段差部９７，９８が形成されている。段差部９７，９８は、膨出部９５，９６の長手方向の両側縁に形成されることで、第１及び第２のシャッタ部９２，９３の全体を長手方向に湾曲させている。また、段差部９７，９８は、外側に向かって湾曲して形成され、膨出部９５，９６と膨出部９５，９６が形成されていない部分との境界を滑らかな面とし、見栄えを良くしている。
【００８９】
更に、第１及び第２のシャッタ部９２，９３には、先端部９２ｃ，９３ｃに、シャッタ部材９１がカートリッジ本体４の前面壁１１側に組み付けられこの前面壁１１に沿って移動操作されたとき、移動をガイドするガイド片３０，３０が形成されている。ガイド片３０，３０は、先端部９２ｃ，９３ｃにおいて、段差３０ａ，３０ａを設けることにより形成されている。
【００９０】
以上のように形成された第１及び第２のシャッタ部９２，９３は、膨出部９５，９６を形成し、この膨出部９５，９６の幅方向の両側の縁部に膨出部９５，９６の湾曲方向と同方向に湾曲した湾曲部９９，１００を形成することで、全体が長手方向に湾曲して形成されている。したがって、第１及び第２のシャッタ部９２，９３は、長手方向の略中間部がカートリッジ本体４の下面から最も離間し、これに伴い第１及び第２のシャッタ部９２，９３の長手方向の両側縁９２ａ，９２ｂ，９３ａ，９３ｂがカートリッジ本体４の上下面と僅かに離間し、第１及び第２のシャッタ部９２，９３のガイド片３０が形成された先端部９２ｃ，９３ｃのみがカートリッジ本体４の上下面に当接するように形成されている。そして、第１及び第２のシャッタ部９２，９３は、カートリッジ本体４の上下面と接触する場所を先端部９２ｃ，９３ｃのガイド片３０，３０とし、長手方向の両側縁９２ａ，９２ｂ，９３ａ，９３ｂをカートリッジ本体４の上下面に接触させないことで、シャッタ部材９１が移動操作されたとき、第１及び第２のシャッタ部９２，９３の長手方向の両側縁９２ａ，９２ｂ，９３ａ，９３ｂがカートリッジ本体４の上下面を削りその削り粉が発生することを防止している。したがって、カートリッジ本体４の上下面に形成されている中央開口部１９，１９と第１及び第２の記録再生用開口部２１，２２よりカートリッジ本体４の削り粉がカートリッジ本体４内に侵入し、光磁気ディスク５に付着することが防止され、記録再生手段により確実に情報信号の記録又は再生を行うことができる。また、シャッタ部材９１は、第１及び第２のシャッタ部９２，９３が長手方向に湾曲し、長手方向の側縁９２ａ，９２ｂ，９３ａ，９３ｂがカートリッジ本体４のシャッタ移動凹部３５に接触しないことから、円滑にカートリッジ本体４の前面壁１１に沿って移動することができる。
【００９１】
なお、以上、図１５中点線で示すように、膨出部の側縁に形成された段差部が外側に略弧状に形成されている場合について説明したが、本発明が適用されたシャッタ部材２３，７１，８１，９１を構成するシャッタ部２３の膨出部２７，７５，８５，８６，９５，９６の側縁に形成される段差部２８，７６，８７，８８，９７，９８は、図１５に示すように、略垂直な立上がり壁により形成するようにしてもよい。また、これらシャッタ部材７１，８２，９１の膨出部７５，８５，８６，９５，９６は、上述した成形金型５７により成形することができる。
【００９２】
以上、シャッタ部材の第１及び／又は第２のシャッタ部に形成された膨出部について、段差部が膨出部のシャッタ部材の移動方向と直交する方向若しくはシャッタ部材の移動方向に形成された場合について説明したが、本発明は、段差部を膨出部の段差部が膨出部のシャッタ部材の移動方向と直交する方向とシャッタ部材の移動方向の両方に形成するようにしてもよい。また、以上記録媒体に光磁気ディスクを用いるディスクカートリッジを例に取り説明したが、本発明に適用されるディスクカートリッジの記録媒体は、光磁気ディスクに限定されるものではなく、光ディスク、ハード磁気ディスク、フレキシブル磁気ディスク等のディスク状記録媒体を用いても良い。
【００９３】
【発明の効果】
本発明によれば、シャッタ部に外側に膨出する一連の膨出部が形成され、シャッタ部材の移動方向と直交する方向若しくはシャッタ部材の移動方向の少なくとも一方で膨出部の両側の縁部に外側に向かって湾曲する湾曲部が形成されていることから、シャッタ部は、全体が湾曲する。したがって、シャッタ部は、カートリッジ本体との接触面積が少なくなりカートリッジ本体との摩擦が小さくなることで、シャッタ部材は円滑に移動する。また、シャッタ部とカートリッジ本体との摩擦力が小さくなることで、シャッタ部材が繰り返し移動操作されることにより発生するカートリッジ本体の削り粉が無くなり、この削り粉が記録再生用開口部や中央開口部よりカートリッジ本体内に侵入し、カートリッジ本体内のディスク状記録媒体に付着することが防止され、記録再生エラーを生じさせることなく確実にディスク状記録媒体に対して情報信号の記録又は再生を行うことができる。
【図面の簡単な説明】
【図１】本発明が適用されたディスクカートリッジの斜視図である。
【図２】上記ディスクカートリッジの分解斜視図である。
【図３】シャッタ部材を第１のシャッタ部側から見た斜視図である。
【図４】シャッタ部材の断面図である。
【図５】シャッタ部材を第２のシャッタ部側から見た斜視図である。
【図６】ディスクカートリッジの断面図である。
【図７】膨出部の曲率と湾曲部の曲率との関係を示したシャッタ部材の断面図である。
【図８】シャッタ製造装置の側面図である。
【図９】シャッタ部材の製造工程を説明するための原反プレートの平面図である。
【図１０】（Ａ）は、第２のシャッタ部に膨出部を形成したときの、原反プレートの側面図であり、（Ｂ）は、第２のシャッタ部に膨出部を形成するための金型装置の断面図である。
【図１１】シャッタ部材の他の例を示す斜視図である。
【図１２】上記シャッタ部材をカートリッジ本体に取り付けたときの第２のシャッタ部の先端部近傍の要部斜視図である。
【図１３】シャッタ部材の更なる例を示す斜視図である。
【図１４】シャッタ部材の更なる例を示す斜視図である。
【図１５】シャッタ部材のシャッタ部に形成された膨出部の段差部が略垂直に立ち上がって形成された例を示すシャッタ部材の要部断面図である。
【図１６】従来のシャッタ部材の斜視図である。
【図１７】第１のシャッタ部と第２のシャッタ部とが近接する方向に変位した状態を示す側面図である。
【図１８】第１のシャッタ部と第２のシャッタ部とが互いに離間する方向に変位した状態を示す側面図である。
【符号の説明】
１  ディスクカートリッジ、２  上ハーフ、３  下ハーフ、４  カートリッジ本体、５  ディスク、８  センターコア、２１  第１の記録再生用開口部、２２第２の記録再生用開口部、２３  シャッタ部材、２４  第１のシャッタ部、２４ｃ  先端部、２５  第２のシャッタ部、２６  連結部、２７  膨出部、２８  段差部、３４  湾曲部
【図１】
0004304766.tif 000003
【図２】
0004304766.tif 000004
【図３】
0004304766.tif 000005
【図４】
0004304766.tif 000006
【図５】
0004304766.tif 000007
【図６】
0004304766.tif 000008
【図７】
0004304766.tif 000009
【図８】
0004304766.tif 000010
【図９】
0004304766.tif 000011
【図１０】
0004304766.tif 000012
【図１１】
0004304766.tif 000013
【図１２】
0004304766.tif 000014
【図１３】
0004304766.tif 000015
【図１４】
0004304766.tif 000016
【図１５】
0004304766.tif 000017
【図１６】
0004304766.tif 000018
【図１７】
0004304766.tif 000019
【図１８】
0004304766.tif 000020